(57)【特許請求の範囲】
【請求項１】
予め写真フイルムが内蔵されたユニット本体に固定式のストロボ発光部を有するストロボ装置を設けたレンズ付きフイルムユニットにおいて、
前記ストロボ装置の充電を連続して行う起立位置と、押圧操作されている間のみストロボ装置の充電を行う倒伏位置との間で起伏自在の操作部材と、
この操作部材が起立位置にあるとき、撮影絞りの口径を操作部材が倒伏位置にあるときより大きくする絞り制御手段とを設けたことを特徴とするレンズ付きフイルムユニット。
【請求項２】
前記絞り制御手段は、開放絞り開口より小さい径の小絞り開口が形成され、この小絞り開口を撮影光軸にセットする挿入位置と撮影光軸にセットしない退避位置との間で移動自在の絞り部材と、この絞り部材を挿入位置に向かって付勢する付勢手段と、前記操作部材が倒伏位置にあるときには、操作部材と係合せず、前記付勢手段により絞り部材が挿入位置に付勢されて小絞り開口が撮影光軸にセットされ、前記操作部材が起立位置にあるときには、操作部材と係合して絞り部材を付勢手段に抗して退避位置に移動させ、撮影光軸に開放絞り開口をセットする連動レバーとからなることを特徴とする請求項１記載のレンズ付きフイルムユニット。
【請求項３】
前記絞り制御手段は、口径が大きい大絞り開口とこれより口径が小さい小絞り開口とが形成され、撮影光軸に大絞り開口と小絞り開口のいずれか一方を挿入するように移動される絞り部材と、この絞り部材に前記操作部材の起伏位置を伝達する伝達手段とからなり、前記操作部材が倒伏位置にあるときには撮影光軸に小絞り開口が挿入され、前記操作部材が起立位置にあるときには撮影光軸に大絞り開口が挿入されることを特徴とする請求項１記載のレンズ付きフイルムユニット。
【発明の詳細な説明】
【０００１】
【産業上の利用分野】
本発明はレンズ付きフィルムユニットに関し、更に詳しくは、ストロボ装置が組み込まれたレンズ付きフイルムユニットの改良に関するものである。
【０００２】
【従来の技術】
予め写真フイルムを内蔵するとともに簡単な撮影機能を備えたレンズ付きフイルムユニットが広く販売されており、このレンズ付きフイルムユニットの中にはストロボ撮影が可能なものがある（例えば、商品名「写ルンですＦＬＡＳＨ」等）。このようなレンズ付きフイルムユニットには、放電管を含むストロボ発光部と、これを発光させるためのストロボ回路が設けられた回路基板とが小型にユニット化されたストロボ装置が組み込まれている。ストロボ撮影を行う際には、レンズ付きフイルムユニットの前面等に設けられたストロボ充電スイッチの操作部材を操作して、回路基板に取り付けられたメインコンデンサへの充電を行う。そして、充電完了を示すランプ等の点灯を確認した後にシャッタボタンを操作すると、シャッタレリーズとともにストロボ発光が行われる。
【０００３】
上記充電スイッチは、レンズ付きフイルムユニットを低価格に抑える必要性から簡素化されたものとなっており、回路基板上に形成された２個の接点部に金属接片を同時に当接させ、ストロボ回路が閉じられることにより充電が開始されるようになっている。金属接片を接点部に接触させる操作部材としては、一度の操作で金属接片を接点部に当接させた状態に維持できる係止機構を備えたスライド式のものや、撮影者によって付勢されている間だけ金属接片を接点部に接触させるようにした、押しボタン式やスライド式のものが用いられている。また、このような操作部材の多くは、コストダウンのために前カバーに一体に形成されており、金属接片に向かって弾性変位されるようになっている。
【０００４】
【発明が解決しようとする課題】
上記充電スイッチの操作部材のうち、充電完了までの間だけ付勢し続ける必要のある押しボタンやスライド式の操作部材は、連続してストロボ撮影を行う際等には、撮影のたびに充電操作を行わなければならないため、非常に煩わしいものであった。また、係止機構を備えた操作部材は、連続したストロボ撮影の際には充電操作を一度行うだけでよいが、操作部材を戻し忘れることがあり、充電用の電源である乾電池を空にして、その後のストロボ撮影をできなくすることがあるという問題があった。
【０００５】
一方、このようなストロボ装置を備えたレンズ付きフイルムユニットに対して更なる小型化が要求がされている。この要求に応えるには、ストロボ装置を構成する部品中で最も大きな部品であるメインコンデンサの小型化が有効であるが、メインコンデンサを小さなものに交換すると、メインコンデンサの静電容量が小さくなるため、ストロボ光の発光光量が減少する。これにより、従来のストロボ撮影が可能な最大距離，例えば３ｍでは露出レベルがアンダーになるという問題があった。
【０００６】
本発明は、上記問題点に鑑みてなされたもので、確実に充電スイッチの切り忘れを防止できるとともに、ストロボ撮影時の露出レベルをアンダーにすることなく更なる小型化を図ったレンズ付きフイルムユニットを提供することを目的とする。
【０００７】
【課題を解決するための手段】
上記問題点を解決するために、本発明のレンズ付きフイルムユニットは、予め写真フイルムが内蔵されたユニット本体に固定式のストロボ発光部を有するストロボ装置を設けたレンズ付きフイルムユニットにおいて、前記ストロボ装置の充電を連続して行う起立位置と、押圧操作されている間のみストロボ装置の充電を行う倒伏位置との間で起伏自在の操作部材と、この操作部材が起立位置にあるとき、撮影絞りの口径を操作部材が倒伏位置にあるときより大きくする絞り制御手段とを設けたものである。
【０００９】
また、前記絞り制御手段は、開放絞り開口より小さい径の小絞り開口が形成され、この小絞り開口を撮影光軸にセットする挿入位置と撮影光軸にセットしない退避位置との間で移動自在の絞り部材と、この絞り部材を挿入位置に向かって付勢する付勢手段と、前記操作部材が倒伏位置にあるときには、操作部材と係合せず、前記付勢手段により絞り部材が挿入位置に付勢されて小絞り開口が撮影光軸にセットされ、前記操作部材が起立位置にあるときには、操作部材と係合して絞り部材を付勢手段に抗して退避位置に移動させ、撮影光軸に開放絞り開口をセットする連動レバーとからなるようにしたものである。
【００１０】
また、前記絞り制御手段は、口径が大きい大絞り開口とこれより口径が小さい小絞り開口とが形成され、撮影光軸に大絞り開口と小絞り開口のいずれか一方を挿入するように移動される絞り部材と、この絞り部材に操作部材の起伏位置を伝達する伝達手段とからなり、操作部材が倒伏位置にあるときには撮影光軸に小絞り開口が挿入され、操作部材が起立位置にあるときには撮影光軸に大絞り開口が挿入されるようにしたものである。
【００１１】
【作用】
連続してストロボ撮影を行う際には、操作部材を起立位置にする。これにより、ストロボ装置の充電が連続的に行なわれるから、充電操作の煩わしさがないとともに、ストロボ装置の連続充電中では操作部材が起立したままの状態になっているので、ストロボ撮影を終了する際に操作部材を戻し忘れることがない。また、操作部材を起立位置にすると同時に、撮影絞りの口径が操作部材が倒伏位置にあるときよりも大きくなる。これにより、少ない光量でストロボ撮影を行なっても露光アンダーにならないから、ストロボ装置のメインコンデンサを小型にすることができ、レンズ付きフイルムユニットの小型化に寄与できる。
【００１２】
【実施例】
本発明のレンズ付きフイルムユニットの外観を示す図２において、レンズ付きフイルムユニット２は、撮影機構等が内蔵されたユニット本体３とこれを収納する紙箱４とから構成されている。紙箱４は、ユニット本体３に組み込まれた巻上げノブ５、ストロボ発光部６、シャッタボタン７等を露呈させるような輪郭となっており、また、撮影レンズ８、ファインダ９及び撮影枚数表示窓１０等を露出させるための穴が設けられている。また、ストロボ発光部６の下方には、ストロボ充電スイッチ１１が設けられている。このストロボ充電スイッチ１１の操作部材１２を図中二点鎖線で示すように、レンズ付きフイルムユニット２の前面に対して垂直に起立させた起立位置にセットすることにより、連続的にストロボ充電を行うことができる。また、詳しくは後述するように操作部材１２を起立位置にセットすると、撮影絞りが開放絞りに変更され、小容量のメインコンデンサでも充分な露光レベルでストロボ撮影が行なわれる。
【００１３】
ユニット本体３は、図３に分解して示すように、本体基部１４，露光ユニット１５，ストロボ装置１６，後カバー１７及び前カバー１８とから構成されており、これらは爪係合によって着脱自在に組み付けられている。
【００１４】
本体基部１４は、不透明なプラスチックで形成されており、撮影光軸２０を挟む両側には、パトローネを収納するパトローネ収納室２１と、写真フイルムをロール状にして収納するフイルムロール室２２とが一体に形成されている。パトローネ収納室２１の外壁前面は、フイルムロール室２２の外壁前面よりも前方に突出した形状となっている。
【００１５】
後カバー１７は、不透明なプラスチックで形成されており、本体基部１４の背面側に組み付けられてパトローネ収納室２１とフイルムロール室２２とを光密に維持する。また、後カバー１７には、パトローネ収納室２１とフイルムロール室２２との底面を覆うプルトップ式の蓋１７ａ，１７ｂがそれぞれ一体に設けられており、蓋１７ａは露光済みの写真フイルムを収納したパトローネを取り出すときの取り出し蓋となる。
【００１６】
露光ユニット１５は、不透明なプラスチックで形成されたベース部２４に、残りコマ数を表示する撮影枚数表示板２５やシャッタ羽根等からなるフイルム巻止め機構及びシャッタ機構が組み込まれている。また、ベース部２４の前面には、小絞り開口２６ａが形成された絞り部材２６が回動自在に取り付けられ、これを覆うように撮影レンズ８を保持したレンズホルダ２７が係止され、上部にはファインダ９が組み込まれている。この露光ユニット１５は、本体基部１４の前面に着脱自在に取り付けられる。
【００１７】
本発明に係る絞り制御手段は、図１に示すように、絞り部材２６と、操作部材１２が操作に応動して絞り部材２６を回動させる連動レバー２９とからなる。絞り部材２６の小絞り開口２６ａは、ベース部２４に形成された開放絞り開口２４ａの口径より小さくなっており、連続充電を行なう場合以外では常に撮影光軸２０に挿入されている。このため、絞り部材２６は、バネ２８によって撮影光軸２０方向に付勢されており、ベース部２４の前面に一体成形されたピン状のストッパ２４ｂに当接した通常位置で小絞り開口２６ａが撮影光軸２０に挿入されている。
【００１８】
連動レバー２９は、ストロボ装置１６の回路基板３０の前面に植設された２本のピン３１，３２を介してスライド自在に取り付けられ、一端部２９ａに形成された開口２９ｂを介して絞り部材２６に植設されたピン２６ｂに係合し、他端部２９ｃはＬ字形に屈曲されている。（Ａ）に示すように、操作部材１２が倒伏位置にセットされている場合には、操作部材１２の軸着端１２ａの上部に植設されたピン３４と連動レバー２９の他端部２９ｃとは係合せず、絞り部材２６はバネ２８の付勢によってストッパ２４ｂに当接した通常位置にある。このとき、絞り部材２６の小絞り開口２６ａが撮影光軸２０にセットされる。
【００１９】
図１（Ｂ）に示すように、操作部材１２が回動されて起立位置にセットされると、ピン３４が他端部２９ｃと係合して連動レバー２９を図面の右方に移動させる。これにより、絞り部材２６がバネ２８の付勢に抗して反時計方向に回動され、撮影光軸２０から退避されるから、開放絞り開口２４ａが撮影光軸２０にセットされた状態になる。
【００２０】
ストロボ装置１６は、回路基板３５とストロボ発光部６とから構成されている。回路基板３５には、ストロボ回路を構成するメインコンデンサ３６等からなる電気部品と、露光ユニット１５のシャッタ機構によってオンされるシンクロスイッチ３７と、ストロボ装置１６の電源となる乾電池３８を接続するための接片３９ａ，３９ｂとが取り付けられている。なお、上述したように操作部材１２を起立位置にセットしてストロボ装置１６を連続充電するときには、開放絞り開口２４ａでストロボ撮影されるため、撮影絞りを変更しない従来のレンズ付きフイルムユニットに比較してストロボ光量が少なくて済む。したがって、本実施例のメインコンデンサ３６は従来のものより小型のものになっており、レンズ付きフイルムユニット２の小型化に寄与している。
【００２１】
回路基板３５には、ストロボ回路への充電スイッチ用に２個の接点部４２ａ，４２ｂが近接して設けられている。そして、これらの接点部４２ａ，４２ｂに同時に当接して充電を開始させるための金属接片４３が、接点部４２ａ，４２ｂに対面するように配置されている。この金属接片４３は、本体基部１４のフイルムロール室２２の外壁前面に取り付けられ、ピン２２ａが取付穴４３ａに挿入され、本体基部１４と前カバー１８とに挟み込まれて位置決めされる。そして、ストロボ充電スイッチ１１の操作により接点部４２ａ，４２ｂに当接される。ストロボ発光部６は、樹脂で形成された保持枠４４にストロボ光を放射する放電管や、ストロボ光を前面に向けて反射する反射傘、配光補正板４５等が組み付けられたものである。
【００２２】
ストロボ装置１６のストロボ回路は、図４に示すような構成となっている。接点部４２ａ，４２ｂに金属接片４３が当接されると、乾電池３８からの正電圧（１．５Ｖ）が、抵抗Ｒ１と発振トランス４６のＦコイルとを通って発振トランジスタ４７のベースに印加され、発振トランジスタ４７をＯＮさせる。発振トランジスタ４７がＯＮすると、発振トランジスタ４７のコレクタ電流が発振トランス４６のＰコイル（１次側）を通して流れ、同時に発振トランス４６のＳコイル（２次側）に、ＳコイルとＰコイルとの巻線比（Ｓコイル／Ｐコイル）の起電力を発生させる。これにより発振トランス４６は、Ｐコイル，Ｓコイル，Ｆコイルの相互誘導作用により発振を続ける。Ｓコイル（２次側）の出力は、整流器４８により整流され、メインコンデンサ３６へ充電を行う。
【００２３】
メインコンデンサ３６の他にトリガ用のトリガコンデンサ５０も設けられている。メインコンデンサ３６の充電完了は、小型ネオン管５１が点灯されることによってユーザーに知らされる。トリガコンデンサ５０からの放電は、シンクロスイッチ３７の接触によって行われ、トリガ用トランス５２で昇圧されてトリガ用端子５３に印加される。次の瞬間に放電管５４内部のクセノンガス（Ｘｅ）の一部がイオン化して管内の内部抵抗が下がり、放電管５４が放電発光する。
【００２４】
前カバー１８は不透明なプラスチックで形成されており、シャッタボタン７，撮影枚数表示窓１０，ストロボ発光部６用の開口５６等が形成されている。そして前カバー１８にはパトローネ収納室２１の突出に合わせた突出部５７が形成されており、この突出部５７は撮影時にグリップとなる。
【００２５】
開口５６の下方に設けられたストロボ充電スイッチ１１は、前カバー１８に一体に設けられ、切欠５９によって弾性が付与された押圧片６０と、この押圧片６０の自由端側前面に組み付けられる操作部材１２と、この操作部材１２を起伏自在に保持する保持部６１とから構成されている。押圧片６０は、金属接片４３の前面側に配置されており、押圧片６０の押圧により金属接片４３は回路基板３５の接点部４２ａ，４２ｂに当接される。操作部材１２は、緩やかに湾曲した半円板形状となっており、上下面にはそれぞれピン６２ａ，６２ｂが突設されている。そして、これらのピン６２ａ，６２ｂが保持部６１の内面側に形成された一対の凹部６３ａ，６３ｂに嵌入されることにより、操作部材１２が前カバー１８に組み付けられる。そして、このピン６２ａ，６２ｂと凹部６３ａ，６３ｂとを中心として操作部材１２が起伏される。
【００２６】
図５に示すように、前カバー１８に組み付けられた操作部材１２が、前カバー１８の前面に対して垂直に起立された起立位置にセットされると、操作部材１２の軸着端１２ａが押圧片６０を押圧する。押圧片６０は弾性変形して、背面側に形成された凸部６０ａで金属接片４３を押圧する。これにより、金属接片４３は回路基板３５の接点部４２ａ，４２ｂに当接される。なお、押圧片６０には、操作部材１２が起立位置にセットされたときに、操作部材１２の軸着端１２ａが当接する突起６５が形成されており、これにより操作部材１２の操作範囲が規定されている。また、操作部材１２が起立位置にセットされると、操作部材１２は押圧片６０の弾性によって前面側に付勢されるので、操作部材１２はそのままの状態で保持され、連続してストロボ充電が行われる。また、操作部材１２のピン３４は押圧片６０に係合しない位置に形成され、連動レバー２９の一端部２９ａも押圧片６０に係合しない位置に設けられている。
【００２７】
また、図６に示すように、操作部材１２が、前カバー１８に対して倒伏された倒伏位置にあるときには、操作部材１２は押圧片６０を押圧しないので、金属接片４３は回路基板３５の接点部４２ａ，４２ｂに当接されず、非充電状態となる。また、倒伏位置にある操作部材１２は、押圧片６０に形成された支持突起６７によって先端部１２ｂが支持されている。そして保持部６１は、操作部材１２の円板形状を補う形状となっているので、操作部材１２が倒伏位置にあるときのストロボ充電スイッチ１１は、図２に示すように円形となり、見栄えが向上する。
【００２８】
また、操作部材１２が倒伏位置にある際にも、ストロボ充電を行うことができる。図７に示すように、倒伏位置にある操作部材１２を押圧すると、ピン６２ａ，６２ｂは凹部６３ａ，６３ｂ内を背面側に向かってほぼ直線的に移動する。これにより、操作部材１２の軸着端１２ａが押圧片６０を押圧し、押圧片６０の凸部６０ａが金属接片４３を押圧して回路基板３５の接点部４２ａ，４２ｂに当接させる。なお、倒伏位置でのストロボ充電は、操作部材１２の押圧を解除すると押圧片６０の弾性により操作部材１２が元の位置に押し戻され、更に金属接片４３は自身の弾性により接点部４２ａ，４２ｂから離れるので、充電が完了するまでの間は、操作部材１２を押圧し続ける必要がある。
【００２９】
次に上記実施例の作用について説明する。撮影者は、被写体の輝度が低い時の屋外や、室内で連続して撮影を行う場合には、図２に二点鎖線で示すように、操作部材１２を手前に引き起こし、レンズ付きフイルムユニット２の前面に対して垂直となる起立位置にセットする。この操作部材１２の引起し操作に応動して、図１（Ｂ）に示すように、ピン３４が連動レバー２９の一端部２９ａに係合して連動レバー２９を図面の右方へ移動させる。これにより、絞り部材２６がバネ２８の付勢に抗して反時計方向に回動され、撮影光軸２０から退避され、撮影光軸２０に開放絞り開口２４ａがセットされた状態になる。
【００３０】
これと同時に、図５に示すように、操作部材１２の軸着端１２ａが押圧片６０を背面側に向けて押圧する。押圧片６０は弾性変形し、背面側に形成された凸部６０ａで金属接片４３を押圧する。金属接片４３は、押圧片６０の押圧により弾性変形して、ストロボ装置１６の回路基板３５の接点部４２ａ，４２ｂに当接される。
【００３１】
回路基板３５の接点部４２ａ，４２ｂに金属接片４３が当接されると、図４に示すように、乾電池３８からの正電圧（１．５Ｖ）が、抵抗Ｒ１と発振トランス４６のＦコイルとを通って発振トランジスタ４７のベースに印加され、発振トランジスタ４７をＯＮさせる。発振トランジスタ４７がＯＮすると、発振トランジスタ４７のコレクタ電流が発振トランス４６のＰコイル（１次側）を通して流れ、同時に発振トランス４６のＳコイル（２次側）に、ＳコイルとＰコイルとの巻線比（Ｓコイル／Ｐコイル）の起電力を発生させる。これにより発振トランス４６は、Ｐコイル，Ｓコイル，Ｆコイルの相互誘導作用により発振を続ける。Ｓコイル（２次側）の出力は、整流器４８により整流され、メインコンデンサ３６へ充電を行う。メインコンデンサ３６及びトリガコンデンサ５０が充分に充電されると、小型ネオン管５１が点灯され、撮影者に充電完了が知らされる。なお、メインコンデンサ３６が小型のものであるから、この充電に要する時間が少なく、短時間で小型ネオン管５１が点灯される。
【００３２】
小型ネオン管５１の点灯により充電完了を確認した後に、ファインダ９により被写体を確認してシャッタボタン７を押下する。シャッタボタン７が押下されると、露光ユニット１５に組み込まれたシャッタ羽根が回動して撮影レンズ８から写真フイルムまでの光路が開放される。また、シャッタ羽根は、この回動時にシンクロスイッチ３７をオンさせる。これにより、トリガコンデンサ５０に充電されていた電荷がトリガ用トランス５２で昇圧されて、トリガ用端子５３に印加される。次の瞬間に放電管５４内部のクセノンガスの一部がイオン化して管内の内部抵抗が下がり、放電管５４が放電発光される。放電管５４から放射されたストロボ光は、反射傘によって前面側に向けて反射され、配光補正板４５によって配光されて被写体に照射される。
【００３３】
この照射光量は、メインコンデンサ３６が小型であるから従来より少なくなっているが、撮影絞り口径が通常撮影時の小絞り開口２６ａより大きい開放絞り開口２４ａになっているから、従来のストロボ撮影可能範囲，例えば１ｍ〜３ｍで充分な露光レベルを確保することができる。
【００３４】
撮影終了後には巻上げノブ５を回動操作して、パトローネ収納室２１内に収納されたパトローネに露光済みの写真フイルムを巻き上げる。また、この巻上げノブ５の回動操作時にも、操作部材１２によって金属接片４３が回路基板３５の接点部４２ａ，４２ｂに当接されているので、上述のようにメインコンデンサ３６に再びストロボ充電が行われる。そして、写真フイルムの巻上げ終了からあまり時間を置かずに再びストロボ充電が完了するので、次のストロボ撮影を行うことができる。このように、連続してストロボ撮影を行う場合には、煩わしい撮影毎のストロボ充電操作を行う必要がない。
【００３５】
ストロボ撮影を終了する場合には、図６に示すように、操作部材１２を前カバー１８の前面に倒伏する倒伏位置に移動させる。しかしながら、この操作部材１２の倒伏位置への移動を忘れた場合でも、操作部材１２はレンズ付きフイルムユニット２の前面に対して垂直に起立しているため気が付きやすいので、長期のあいだ充電状態で放置されることはない。これにより、乾電池３８の無駄な消耗が防止される。
【００３６】
また、不定期に１枚だけのストロボ撮影を行うような場合には、図６に示すように、操作部材１２を倒伏位置にしたままでストロボ充電を行うとよい。この場合には、絞り部材２６は撮影光軸２０に挿入され、小絞り開口２６ａが撮影光軸２０にセットされた状態になっている。倒伏された状態の操作部材１２をそのまま押圧すると、操作部材１２のピン６２ａ，６２ｂが凹部６３ａ，６３ｂ内を背面側に向かってほぼ直線的に移動し、軸着端１２ａが押圧片６０を押圧する。押圧片６０は弾性変形し、背面側に形成された凸部６０ａで金属接片４３を押圧する。金属接片４３は、回路基板３５の接点部４２ａ，４２ｂに当接され、メインコンデンサ３６にストロボ充電が開始される。なお、この場合には、操作部材１２の押圧を解除すると、押圧片６０の弾性により操作部材１２は元の倒伏位置戻され、金属接片４３は自身の弾性により接点部４２ａ，４２ｂから離れるので、充電完了までの間は操作部材１２を押圧し続ける必要がある。これにより、乾電池３８の無駄な消耗が防止される。
【００３７】
次に、絞り部材の別の例を示す図８において、絞り部材７１は扇形をしており、軸７２を中心に回動自在にベース部２４の前面に取り付けられている。絞り部材７１の回動範囲は、ベース部２４の前面に植設された２本のストッパピン７３，７４によって規制され、操作部材の起伏位置に応じて絞り部材７１はこれらのストッパピン７３，７４の間を回動される。絞り部材７１には、大小２個の絞り開口７１ａ，７１ｂが軸７２の同心円上に並列して形成してあり、この絞り開口７１ａ，７１ｂのうちいずれか一方が光軸開口７５にセットされるようになっている。このセット手段としては、例えばトグルバネ方式により、大絞り開口７１ａが光軸開口７５にセットされているとき（Ａ）には、絞り部材７１をストッパピン７３側に押しつけ、また小絞り開口７１ｂが光軸開口７５にセットされているとき（Ｂ）には、絞り部材７１をストッパピン７４側に押しつけるようにする。
【００３８】
以上説明した各実施例では、▲１▼小絞りによる定常光撮影，▲２▼小絞りによるストロボ撮影（操作部材を倒伏位置にしたままで充電），▲３▼開放絞りまたは大絞りによるストロボ撮影（操作部材を起立位置にした連続充電）の３種類の撮影モードから撮影状況に応じて適宜に選択することができる。▲１▼，▲２▼では充分な被写界深度を確保でき、▲３▼では小容量のメインコンデンサでも充分な露光量を確保できる。特に、▲２▼では、例えば日中の逆光撮影等でストロボ光を補助的に使用する，いわゆる日中シンクロ撮影を行なうことができる。
【００３９】
【発明の効果】
以上説明したように、本発明のレンズ付きフイルムユニットは、ストロボ充電を連続して行なう場合には、操作部材を起立位置にすることにより、操作部材が倒伏位置にあるときより撮影絞りの口径が大きくなるようにしたので、小容量のメインコンデンサでも充分な露光レベルでストロボ撮影を行なうことができる。したがって、レンズ付きフイルムユニットを小型化できる。また、起立位置にある操作部材は明確に確認できるので、操作部材の戻し忘れが防止でき、不要な電源電池の消耗を防止することができる。
【００４０】
また、非連続的にストロボ撮影を行う場合には、倒伏位置にある操作部材を押圧操作することで、１回の撮影分のストロボ充電を行うことができるので、不要な電源電池の消耗を防止することができるとともに、撮影絞りを小絞りのままでストロボ撮影できるから、ストロボ光を補助光とする日中シンクロ撮影を行なうことができる。
【００４１】
また、絞り制御手段は、絞り部材に開放絞り開口の径より小さい小絞り開口を形成し、操作部材に応動して操作部材が倒伏位置にあるときには小絞り開口が撮影光軸にセットされ、起立位置にあるときには絞り部材が退避して開放絞り開口が撮影光軸にセットされるように構成すると、上記効果を簡単な構成で達成できる。また、絞り制御手段は、大絞り開口と小絞り開口を形成した絞り部材が操作部材の起伏位置により移動されるようにし、操作部材が倒伏位置にあるときには撮影光軸に小絞り開口を挿入し、操作部材が起立位置にあるときには撮影光軸に大絞り開口を挿入するように構成することもできる。
【図面の簡単な説明】
【図１】本発明に係る操作部材と絞り制御手段の構成を示す説明図である。
【図２】本発明のレンズ付きフイルムユニットの外観を示す斜視図である。
【図３】ユニット本体の構成を示す分解斜視図である。
【図４】ストロボ装置の回路図である。
【図５】操作部材が起立位置にあるユニット本体の要部断面図である。
【図６】操作部材が倒伏位置にあるユニット本体の要部断面図である。
【図７】押圧操作による充電状態にあるユニット本体の要部断面図である。
【図８】別の絞り部材の例を示す説明図である。
【符号の説明】
２  レンズ付きフイルムユニット
１１  ストロボ充電スイッチ
１２  操作部材
１４  本体基部
１６  ストロボ装置
１８  前カバー
２４  開放絞り開口
２６，７１  絞り部材
２６ａ，７１ｂ  小絞り開口
２８  バネ
２９  連動レバー
７１ａ  大絞り開口
【図１】
0003677084.tif 000002
【図２】
0003677084.tif 000003
【図３】
0003677084.tif 000004
【図４】
0003677084.tif 000005
【図５】
0003677084.tif 000006
【図６】
0003677084.tif 000007
【図７】
0003677084.tif 000008
【図８】
0003677084.tif 000009